(57)【要約】【構成】テレビジョン受像機１０は、録画予約された所望の番組コンテンツの受信開始時に、その動作モードがスタンバイモードであるときは、受信可能モードに移行する。そして、受信可能モードに移行した後、オンスクリーン表示ＩＣ３４からの所望の番組コンテンツに関する番組録画情報を映像モニタ３８に出力する。【効果】録画中の番組に関する情報がモニタ３８の画面上にオンスクリーン表示されるので、視聴者は番組録画情報を容易に確認することができる。【選択図】  図１
2005006073.tif 000002
【特許請求の範囲】
【請求項１】
予約時間帯に受信した所望コンテンツを録画装置に出力するコンテンツ受信装置において、
前記予約時間帯の先頭部分での動作モードがスタンバイモードであるとき受信可能モードに移行する移行手段、および
前記移行手段による移行後に前記所望コンテンツの属性情報を映像モニタに出力する出力手段を備えることを特徴とする、コンテンツ受信手段。
【請求項２】
前記映像モニタは受信したコンテンツの映像信号を出力するためのモニタであり、
前記出力手段は、前記所望コンテンツの映像信号に代えて前記属性情報を出力する、請求項１記載のコンテンツ受信装置。
【請求項３】
請求項１または２記載のコンテンツ受信装置を備える、テレビジョン受像機。
【発明の詳細な説明】
【０００１】
【発明の属する技術分野】
この発明は、コンテンツ受信装置に関し、特に例えばテレビジョン受像機に適用され、予約時間帯に受信した所望コンテンツを録画装置に出力する、コンテンツ受信装置に関する。
【０００２】
【従来技術】
従来のこの種のテレビジョン受像機が録画予約された番組コンテンツの映像信号を録画装置に出力すると、録画装置はＬＥＤを点灯させることにより録画中であることを表示していた。
【０００３】
【発明が解決しようとする課題】
しかし、従来技術では、ＬＥＤの点灯によって、録画予約した番組が録画されていることを確認することはできるが、録画中の番組に関する情報（番組録画情報）は確認できないという問題があった。
【０００４】
それゆえに、この発明の主たる目的は、番組録画情報を容易に確認することができる、コンテンツ受信装置を提供することである。
【０００５】
【課題を解決するための手段】
この発明は、予約時間帯に受信した所望コンテンツを録画装置に出力するコンテンツ受信装置において、予約時間帯の先頭部分での動作モードがスタンバイモードであるとき受信可能モードに移行する移行手段、および移行手段による移行後に所望コンテンツの属性情報を映像モニタに出力する出力手段を備えることを特徴とするコンテンツ受信手段である。
【０００６】
【作用】
予約時間帯に所望コンテンツを受信して録画装置に出力するコンテンツ受信装置は、予約時間帯の先頭部分での動作モードがスタンバイモードであるとき、移行手段によって受信可能モードに移行する。そして、受信可能モードに移行した後、出力手段によって所望予約コンテンツの属性情報を映像モニタに出力する。このため、所望コンテンツの録画中に、映像モニタによって所望コンテンツの属性情報を確認することができる。
【０００７】
好ましくは、映像モニタに所望コンテンツの映像信号を出力する代わりに、その属性情報を出力する。
【０００８】
【発明の効果】
この発明によれば、録画中の所望コンテンツに関する属性情報が映像モニタの画面上にオンスクリーン表示されるので、視聴者はその属性情報を容易に確認することができる。
【０００９】
この発明の上述の目的，その他の目的，特徴および利点は、図面を参照して行う以下の実施例の詳細な説明から一層明らかとなろう。
【００１０】
【実施例】
図１を参照して、この実施例のテレビジョン受信機１０は、地上波デジタル放送システムを用いて放送された番組コンテンツを受信する放送受信回路１２と、放送受信回路１２の動作や放送受信回路１２に与える電源を制御するコントロール回路１４とを含む。
【００１１】
放送受信回路１２は、チューナ１８を含む。チューナ１８は、アンテナ１６によって捉えられた地上波デジタル放送の高周波信号から所望のチャネルの高周波信号を抽出し、抽出した高周波信号にＭＰＥＧフォーマットに従う復調処理を施す。これによって、所望のチャネルのデジタル放送データがチューナ１８から出力される。出力されたデジタル放送データは、バッファメモリ２０を介してデマルチプレクサ２２に与えられる。
【００１２】
デマルチプレクサ２２は、与えられたデジタル放送データから音声パケットおよび映像パケットを抽出し、抽出された音声パケットおよび映像パケットを、ＭＰＥＧ２−ＡＡＣオーディオデコーダ２６およびＭＰＥＧ２ビデオデコーダ３２にそれぞれ与える。
【００１３】
ＭＰＥＧ２−ＡＡＣオーディオデコーダ２６は、与えられた音声パケットをデコードして音声データを生成し、生成された音声データをＤ／Ａ変換器２８に与える。Ｄ／Ａ変換器２８は、与えられた音声データをアナログ信号である音声信号に変換し、変換された音声信号をＡＶセレクタ２４に与える。ＡＶセレクタ２４の出力端は、切換スイッチＳＷ１を介してスピーカ３０の入力端に接続される。この結果、切換スイッチＳＷ１がオン状態のとき、所望のチャネルで放送される番組コンテンツの音声がスピーカ３０から出力される。なお、切換スイッチＳＷ１がオフ状態のときは、音声はスピーカ３０から出力されない。
【００１４】
ＭＰＥＧ２ビデオデコーダ３２は、与えられた映像パケットをデコードして映像データを生成し、生成された映像データをＤ／Ａ変換器３６に与える。Ｄ／Ａ変換器３６は、与えられた映像データをアナログ信号である映像信号に変換し、変換された映像信号をＡＶセレクタ２４に与える。ＡＶセレクタ２４の出力端と、オンスクリーン表示ＩＣ３４の出力端とは、切換スイッチＳＷ２を介してモニタ３８の入力端に接続される。この結果、切換スイッチＳＷ２を切り換えることにより、Ｄ／Ａ変換器３６によって変換された映像信号、および垂直同期信号Ｖｓｙｎｃに応答してオンスクリーン表示ＩＣ３４から出力されるキャラクタ信号のいずれかが、モニタ３８に与えられる。映像信号がモニタ３８に与えられた場合は、所望の番組コンテンツの映像がモニタ３８に表示される。また、映像信号の代わりにキャラクタ信号がモニタ３８に与えられると、録画番組情報がモニタ３８に表示される。
【００１５】
また、ＡＶセレクタ２４の端子Ｓ１、Ｓ２には、録画装置（図示しない）が接続される。このためＡＶセレクタ２４から出力された映像信号および音声信号は、スイッチＳＷ３および端子Ｓ１を介して録画装置に出力され、録画装置によって記録媒体に録画される。また、記録媒体に録画された映像信号および音声信号が録画装置から端子Ｓ２を介してＡＶセレクタ２４に与えられる。ＡＶセレクタ２４に与えられた映像信号は、スイッチＳＷ２を介してモニタ３８に与えられ、音声信号はスイッチＳＷ１を介してモニタ３８に与えられる。この結果、再生映像および再生音声がモニタ３８およびスピーカ３０からそれぞれ出力される。
【００１６】
ＡＶセレクタ２４の端子Ｓ３には、アナログ放送を受信するアナログテレビジョン受像機（図示しない）が接続される。このため、ＡＶセレクタ２４は、地上波デジタル放送の映像信号および音声信号を、アナログテレビジョン受像機から与えられたアナログ放送の映像信号および音声信号に切り換えることもできる。ＡＶセレクタ２４によってアナログ放送に切り換えられると、テレビジョン受像機１０は、地上波デジタル放送の場合と同様に、アナログ放送の番組コンテンツの映像および音声をモニタ３８およびスピーカ３０からそれぞれ出力することができる。また、テレビジョン受像機１０は、アナログ放送を受信して録画装置に所望の番組コンテンツを録画するとき、モニタ３８に番組録画情報を表示することができる。
【００１７】
コントロール回路１４は、電源制御回路４０を含む。電源制御回路４０は、電源コード４２により電源スイッチＳＷ４を介して電源（図示しない）に接続される。この電源制御回路４０は、ＣＰＵ４４からの命令に基づいて放送受信回路１２に与える電源のオン／オフ状態を制御する。
【００１８】
ＣＰＵ４４には、操作パネル４８、メモリ４６およびタイマ５０が接続されている。操作パネル４８には、所望の番組コンテンツを録画するためにチャネルを選択するチャネル選択キー４８ａ、および録画時刻を入力する録画キー４８ｂが設けられている。メモリ４６は、操作パネル４８のチャネル選択キー４８ａによって入力されたチャネル情報、録画時刻入力キー４８ｂによって入力された録画時刻情報およびＣＰＵ４４の動作を制御するプログラムを記憶する。タイマ５０は、時刻情報をＣＰＵ４４に通知する。
【００１９】
次に、図２を参照して、テレビジョン受像機１２の動作モードについて説明する。テレビジョン受像機の電源の状態は、電源スイッチＳＷ４、ＣＰＵ４４および放送受信回路１２のオン／オフ状態に応じて、受信可能モード、スタンバイモードおよび停止モードのいずれかの動作モードとなる。
【００２０】
受信可能モードでは、電源スイッチＳＷ４、ＣＰＵ４４および放送受信回路１２がすべてオン状態である。このため、テレビジョン受像機１０は、所望のチャネルの高周波信号を受信することができる。
【００２１】
スタンバイモードでは、電源スイッチＳＷ４およびＣＰＵ４４はオン状態であるが、放送受信回路１２はオフ状態である。オン状態であるＣＰＵ４４は、時刻情報、チャネル情報および録画時刻情報に基づいて、現在時刻が所望の番組コンテンツの放送開始時刻になったことを知ることができる。ＣＰＵ４４は、放送開始時刻になると、電源制御回路４０に対して放送受信回路１２の電源をオン状態にするように命令して、テレビジョン受像機１０をスタンバイモードから受信可能モードに変える。
【００２２】
停止モードでは、電源スイッチＳＷ４、ＣＰＵ４４および放送受信回路１２は、すべてオフ状態である。このため、テレビジョン受像機１０は放送開始時刻になっても所望のチャネルの高周波信号を受信できない。
【００２３】
次に、図３を参照して、ＣＰＵ４４が行う処理について説明する。まず、ステップＳ１で録画予約状態かどうかを判断する。そして録画予約状態ではないと判断した場合は、ステップＳ３でその他の処理を実行する。一方、録画予約状態であると判断した場合は、ステップＳ５で放送開始時刻になるまで待つ。
【００２４】
そして、タイマ５０からの時刻情報とメモリ４６に記憶されている録画時刻情報に基づいて放送開始時刻になったと判断すると、ステップＳ７でテレビジョン受像機１０の動作モードが受信可能モードかどうかを判断する。受信可能モードであると判断した場合には、ステップＳ９に進み、メモリ４６から呼び出したチャネル情報に基づいてチャネルを切り換える。例えば、現在視聴しているチャネルが“ＣＨ１０”で、録画予約しているチャネルが“ＣＨ１２”であれば、モニタからの出力映像は図４（Ａ）から図４（Ｂ）に切り換えられる。
【００２５】
ステップＳ１１では、デマルチプレクサ２２によって抽出された映像パケットおよび音声パケットを録画装置に出力するべく、スイッチＳＷ３をオンする。
【００２６】
ステップＳ１３で、タイマ５０からの時刻情報とメモリ４６に記憶された録画終了時刻とに基づいて、録画終了時刻になったかどうかを判断し、録画終了時刻になるまで待つ。そして、録画終了時刻になると、ステップＳ１５に進んで、スイッチＳＷ３をオフする。これによって、録画装置への映像パケットおよび音声パケットの出力が停止される。
【００２７】
また、ステップＳ７で、テレビジョン受像機１０が受信可能モードにないと判断した場合、すなわちスタンバイモードであると判断した場合には、ステップＳ１７に進み、電源制御回路４０を制御して放送受信回路１２をオン状態とする。これによって、動作モードがスタンバイモードから受信可能モードに移行する。次に、ステップＳ１９で、メモリ４６から読み出したチャネル情報、つまり録画予約されている所望のチャネルのチャネル情報に基づいてチャネルを切り換える。
【００２８】
ステップＳ２１では、デマルチプレクサ２２によって抽出された映像パケットおよび音声パケットを録画装置に与えるべく、スイッチＳＷ３をオンする。ステップＳ２３では、映像と音声とをミュートするべく、切換スイッチＳＷ２をオンスクリーン表示ＩＣ３４に切り換える。このとき、切換スイッチＳＷ１もオフ状態にする。
【００２９】
ステップＳ２５では、チャネル情報、録画時刻情報などの録画番組情報をメモリ４６から読み出し、読み出された録画番組情報を示すキャラクタ信号の出力をオンスクリーン表示ＩＣ３４に命令する。これによって、例えば図４（Ｃ）に示すように、録画中であることの表示、チャネルの番号、放送開始時刻と終了時刻などの情報が画面に表示される。
【００３０】
ステップＳ２７では、タイマ５０からの時刻情報とメモリ４６に記憶された録画終了時刻とに基づいて、録画終了時刻になったかどうかを判断し、録画終了時刻になるまで待つ。そして、録画終了時刻になると、ステップＳ２９でスイッチＳＷ３をオフする。
【００３１】
以上の説明から分かるように、録画予約された所望の番組コンテンツを受信して、録画装置に出力するテレビジョン受像機１０は、所望の番組コンテンツの受信開始時に、その動作モードがスタンバイモードであるとき、受信可能モードに移行する。そして、受信可能モードに移行した後、オンスクリーン表示ＩＣ３４からの所望の番組コンテンツに関する番組録画情報を映像モニタ３８に出力する。このことにより、録画中の番組に関する情報がモニタ３８の画面上にオンスクリーン表示されるので、視聴者は番組録画情報を容易に確認することができる。
【図面の簡単な説明】
【図１】この発明の一実施例を示すブロック図である。
【図２】図１実施例の電源状態を示す図解図である。
【図３】図１実施例の動作の一部を示すフロー図である。
【図４】図１実施例のモニタの表示画面を示す図解図である。
【符号の説明】
１０…テレビジョン受像機
１２…放送受信回路
３４…オンスクリーン表示ＩＣ
３８…モニタ
４０…電源制御回路
４４…ＣＰＵ
【図１】
2005006073.tif 000003
【図２】
2005006073.tif 000004
【図３】
2005006073.tif 000005
【図４】
2005006073.tif 000006